(57)【要約】【課題】テーブルの下面からフックを直線的に移動させて出没できるようにしたテーブル用フックの提供を図る。【解決手段】テーブルテーブルｔの下面に取り付けられる支持部材２０と、この支持部材２０によって支持されながら摺動することによって、テーブルの下面にて水平方向に出没するフック部材１１とを備える。フック部材１１は、荷物を引っ掛けて吊り下げ保持するフック状の先端部１２と、先端部１２の後方側に設けられた被支持部１５とを備え、被支持部１５は、上記の支持部材に支持されながら前後に摺動し、この摺動に伴いフック状の先端部がテーブルの下面から水平方向に出没する。【選択図】          図１
0003137212.tif 000002
【実用新案登録請求の範囲】
【請求項１】
テーブルの下面に取り付けられる支持部材と、
この支持部によって支持されながら摺動することによって、テーブルの下面にて水平方向に出没するフック部材とを備え、
フック部材は、荷物を引っ掛けて吊り下げ保持するフック状の先端部と、先端部の後方側に設けられた被支持部とを備え、
被支持部は、上記の支持部材に支持されながら前後に摺動し、この摺動に伴いフック状の先端部がテーブルの下面から水平方向に出没するものであることを特徴とするテーブル用フック。
【請求項２】
上記の被支持部には前後方向に直線状に伸びる摺動部分を備え、この摺動部分には前後に間隔を隔てた少なくとも２箇所に凹部が形成されると共に、この摺動部分の前後両端には突起部が形成され、
支持部材には、左右両側にテーブルの下面に当接する当接部と、この左右の当接部から下方に伸びる左右壁部と、左右壁部間を繋ぐ下方支持部とを備え、
下方支持部は、上記の摺動部分の下側を摺動可能に支持するものであり、この下方支持部には上記の凹部に係合する凸部が設けられ、この凸部は弾性部分の付勢を受けるものであり、摺動部分に接触中は弾性部分の弾性変形によって下方に位置し、凹部と係合する際、弾性部分の弾性によって上昇して凹部内に入るものであり、
上記の突起部と支持部材とが当ることによってフック部材の摺動範囲が制限されたものであることを特徴とする請求項１記載のテーブル用フック。
【請求項３】
下方支持部は、その上面に上記の弾性部分としての板バネが載置され、この板バネは上下方向に撓むものであり、板バネの略中央には上方に折り曲げられた凸部が形成されると共に、その前端と後端とが下方に折り曲げられて前ストップ部と後ストップ部とが形成され、前ストップ部は下方支持部の前端と当接して板バネが後方に移動するのを停止させ、後ストップ部は後端と当接して板バネが前方に移動するのを停止させるものであり、
下方支持部は、その前後方向の略中央には開口が形成されており、凸部が摺動部分に接触して下方に位置する際には、この開口に上記の凸部の一部が入り込んでいることを特徴とする請求項２記載のテーブル用フック。
【請求項４】
フック部材が合成樹脂製であり、フック状の先端部及び被支持部の断面がほぼ逆Ｕ字状をなすものであり、
前記の先端部は被支持部の先端から下方に伸びる首部と、降下部の先端から左右方向に伸びる左右腕とを備えたものであることを特徴とする請求項３記載のテーブル用フック。
【請求項５】
被支持部は当該金属棒と、その当該金属棒の下方に固定された金属製角柱とを備えたものであり、
先端部は、上記の被支持部の金属棒の先端から下方に伸びる金属棒製の首部と、首部の先端から左右方向に伸びる金属棒製の左右腕とを備えたものであることを特徴とする請求項３記載のテーブル用フック。
【考案の詳細な説明】
【技術分野】
【０００１】
本願考案は、テーブルやカウンター等のテーブル面の下面に取り付けれ、傘や荷物などを引っ掛けることができるようにしたテーブル用フックに関するものである。
【背景技術】
【０００２】
背景技術として、下記の特許文献１、２を示す。
特許請文献１は、フックをプレートに設けられた取り付け部に、バネを介して回転可能に取り付け、このフック部の先端部にスベリ止め、又は保持部を取り付けたかさ置き及び手荷物掛け器具が開示されている。この器具は、テーブルの下面にプレート部が取り付けられて使用されるものであるが、テーブル下面にてフックを軸方向に回動させて起して使用するものであり、摺動するものではない。そのため、フックはテーブル下面から前方に突出することはなく、傘や荷物をフックにひっかける作業を、見えないテーブル下面にて手探りで行う必要がある。
【０００３】
特許文献２には、フックの基端を回動可能にテーブル下面に取り付け、フックの先端側を水平に回動させることによって、フック先端にテーブル下面から出没させるようにしたフックが開示されているものである。ところが、このフックにあっては、フックの形状が、前後方向に対して左右方向の横幅が大きいものにあっては、横方向に回動して収納しようとしても、フックの先端がテーブル下面から突出してしまう。そのため、フックの前後方向の長さに比して横幅が小さなものにしか使用できないという課題がある。
【０００４】
【特許文献１】特開平０８−７０９７６号
【特許文献２】実開昭６２−１５７４７８号
【考案の開示】
【考案が解決しようとする課題】
【０００５】
本願考案は、テーブルの下面からフックを直線的に移動させて出没できるようにしたテーブル用フックの提供を図らんする。また、当該フックを少ない部品点数で簡単に組み立てることができると共に、フックを引き出した時と、収納した時のいずれの場合にも、軽い抵抗感を与えて使用者の操作性を高めることができるフックを提供せんとするものである。
【課題を解決するための手段】
【０００６】
本願の請求項１に係る考案は、テーブルの下面に取り付けられる支持部材と、この支持部によって支持されながら摺動することによって、テーブルの下面にて水平方向に出没するフック部材とを備え、フック部材は、荷物を引っ掛けて吊り下げ保持するフック状の先端部と、先端部の後方側に設けられた被支持部とを備え、被支持部は、上記の支持部材に支持されながら前後に摺動し、この摺動に伴いフック状の先端部がテーブルの下面から水平方向に出没するものであることを特徴とするテーブル用フックを提供する。
本願の請求項２に係る考案は、上記の被支持部には前後方向に直線状に伸びる摺動部分を備え、この摺動部分には前後に間隔を隔てた少なくとも２箇所に凹部が形成されると共に、この摺動部分の前後両端には突起部が形成され、支持部材には、左右両側にテーブルの下面に当接する当接部と、この左右の当接部から下方に伸びる左右壁部と、左右壁部間を繋ぐ下方支持部とを備え、下方支持部は、上記の摺動部分の下側を摺動可能に支持するものであり、この下方支持部には上記の凹部に係合する凸部が設けられ、この凸部は弾性部分の付勢を受けるものであり、摺動部分に接触中は弾性部分の弾性変形によって下方に位置し、凹部と係合する際、弾性部分の弾性によって上昇して凹部内に入るものであり、上記の突起部と支持部材とが当ることによってフック部材の摺動範囲が制限されたものであることを特徴とする請求項１記載のテーブル用フックを提供する。
本願の請求項３に係る考案は、下方支持部は、その上面に上記の弾性部分としての板バネが載置され、この板バネは上下方向に撓むものであり、板バネの略中央には上方に折り曲げられた凸部が形成されると共に、その前端と後端とが下方に折り曲げられて前ストップ部と後ストップ部とが形成され、前ストップ部は下方支持部の前端と当接して板バネが後方に移動するのを停止させ、後ストップ部は後端と当接して板バネが前方に移動するのを停止させるものであり、下方支持部は、その前後方向の略中央には開口が形成されており、凸部が摺動部分に接触して下方に位置する際には、この開口に上記の凸部の一部が入り込んでいることを特徴とする請求項２記載のテーブル用フックを提供する。
本願の請求項４に係る考案は、フック部材が合成樹脂製であり、フック状の先端部及び被支持部の断面がほぼ逆Ｕ字状をなすものであり、前記の先端部は被支持部の先端から下方に伸びる首部と、降下部の先端から左右方向に伸びる左右腕とを備えたものであることを特徴とする請求項３記載のテーブル用フックを提供する。
本願の請求項５に係る考案は、被支持部は当該金属棒と、その当該金属棒の下方に固定された金属製角柱とを備えたものであり、先端部は、上記の被支持部の金属棒の先端から下方に伸びる金属棒製の首部と、首部の先端から左右方向に伸びる金属棒製の左右腕とを備えたものであることを特徴とする請求項３記載のテーブル用フックを提供するものである。
【考案の効果】
【０００７】
本願考案は、テーブルの下面からフックを直線的に前に引き出すだけで出没できるようにしたテーブル用フックを提供することができたものである。請求項２に係る考案にあっては、前後の凹部と凸部とが嵌まり合うことによって、フックがテーブルから突出した位置とテーブルに隠れた位置とでそれぞれ仮固定でき、操作性がよく、使用者が安心して用いることができるものである。請求項３に係る考案にあっては、請求項２の機能をもったフックを３つの部品点数で形成することができ、しかも、板バネは無理なく弾性変形することができる構造を提供することができたものである。請求項４については、合成樹脂製のフック、請求項５については金属棒製のフックをそれぞれ用いることができたものである。
【考案を実施するための最良の形態】
【０００８】
以下、図面に基づき本願考案の実施の形態を説明する。
図１は第１の実施の形態に係るテーブル用フックの分解斜視図であり、図２は同テーブル用フックの使用状態を示す斜視図であり、図３は同作動状態の説明図である。
【０００９】
この実施の形態に係るテーブル用フックは、テーブルｔの下面に取り付けて使用されるもので、支持部材２０と、フック部材１１とを備える。支持部材２０はテーブルｔの下面にネジ等によって固定され、フック部材１１は支持部材２０によって支持されながら摺動することによって、テーブルｔの下面にて水平方向（前後方向）に出没する。
フック部材１１は、荷物や傘等を引っ掛けて吊り下げ保持するフック状の先端部１２と、先端部１２の後方側に設けられた被支持部１５とを備え、被支持部１５は前後方向に直線状に伸びているものである。この例では、フック部材１１は全体が合成樹脂で形成されたもので、断面が略逆Ｕ字状の棒材により構成されている。先端部１２は、被支持部１５の先端から下方に伸びる首部１３と、首部１３の下端から左右方向に伸びる腕部１４とを備える。腕部１４の先端は、図では真っ直ぐに伸びているに止まっているが、上方に曲げたり、径の大きな部材を取り付けたりして、腕部１４に引っ掛けた荷物等が落ちにくいようにしておくことが望ましい。
被支持部１５は、上記の支持部材２０に支持されながら前後に摺動するもので、その下面には前凹部１６と後凹部１７とが前後に間隔をおいて形成されている。
【００１０】
次に、支持部材２０について説明する。支持部材２０には、左右両側にテーブルの下面に当接する平板状の当接部２１と、この左右の当接部２１から下方に伸びる左右壁部２２と、左右壁部２２間を繋ぐ下方支持部２３とを備えるものである。
【００１１】
下方支持部２３は、上記の被支持部１５の下面を摺動可能に支持するものであり、その被支持部１５の横幅と等しいか僅かに大きな横幅を有する。前後方向の長さは、被支持部１５を安定して保持し得る程度の長さがあればよく、具体的には、３〜１０cm程度の長さがあれば足る。この下方支持部２３の前後方向の中央には開口２４が形成されている。
【００１２】
下方支持部２３の上面には、板バネ３０が載置されている。この板バネ３０は上下方向に撓むものであり、被支持部１５の横幅と等しいか僅かに小さな横幅を有する。前後方向の長さは、下方支持部２３の長さと等しいか僅かに長く設定されている。この板バネ３０前後方向の略中央には上方に折り曲げられた凸部３３が形成されており、この凸部３３は上記の開口２４と略同一の位置に設けられる。
【００１３】
板バネ３０の前端と後端とは、下方に折り曲げられて前ストップ部３１と後ストップ部３２とを構成する。前ストップ部３１は下方支持部２３の前端と当接して板バネ３０が後方に移動するのを停止させる。また、後ストップ部３２は下方支持部２３の後端と当接して板バネ３０が前方に移動するのを停止させるものである。
【００１４】
このテーブル用フックの組付けは、支持部材２０の下方支持部２３上に、板バネ３０を載置し、その上にフック部材１１の被支持部１５を置くだけで完了するものであり、これを、テーブルｔの下面にネジ等によって固定するだけで、その取付が完了する。
【００１５】
使用に際しては、板バネ３０の凸部３３がフック部材１１の前凹部１６に係合した状態となっている（図３）。この状態で、板バネ３０は自由状態であるか、或いは、凸部３３が前凹部１６に軽く当たることによって、僅かに弾性変形した状態となっている。この図３の状態では、先端部１２がテーブルｔの下にあって、上からは隠れて見えないため通常のテーブルと同様に使用できる。
【００１６】
次に、荷物をかけたい場合には、先端部１２を前方（図では左側）に引き出す。その際、凸部３３が前凹部１６から抜け出して被支持部１５の下面をこすりながら、フック部材１１は前に引き出されていく。ここで、凸部３３は下方に移動して開口２４内に一部分が入り込むようにして板バネ３０は弾性変形する。この弾性変形において、板バネ３０は、前ストップ部３１が下方支持部２３の前端と当接していると共に、後ストップ部３２は下方支持部２３の後端と当接しているにすぎず、板バネ３０と支持部材２０とは完全に固定されていない。そのため、板バネ３０全体が伸びる方向への移動については、自由に移動できるものであり、板バネ３０は無理なく弾性変形することができる。
【００１７】
フック部材１１をさらに前に引き出すと、後凹部１７が凸部３３の位置にまで到達し、板バネ３０の付勢力によって後凹部１７内に凸部３３が嵌まり込む。これにより、フックの先端部１２がテーブルｔの下面よりも前方に突出した状態でフック部材１１が仮固定され、傘や袋などの荷物を簡単に掛けることができるようになる。なお、フック部材１１がさらに引き出されて、抜けてしまうことを防止するために、左右壁部２２や下方支持部２３の端面など支持部材２０に当接してフック部材１１の抜けを確実に防止することができる最終的なストッパを設けておいてもよい。この例においては、ストッパとして、被支持部１５の摺動部分の前後両端に突起部１９が形成され、この突起部１９が支持部材２０に当接することによって、フック部材１１の摺動範囲を規制している。
また、フック部材１１への荷重は、下方支持部２３が受けることになるが、被支持部１５の先端（図１では左端）が上方に回動する力が生ずる。この力は、テーブルｔの下面に被支持部１５が当接して受けられるが、支持部材２０に上方支持部（図示せず）を設けて被支持部１５を下方支持部２３と上方支持部との間に通して、当該力を上方支持部が受けるようにしてもよい。
【００１８】
次に、図４は他の実施の形態に係るもので、フック部材１１が、金属棒で形成されている点が先の例と相違する。この例では、フック部材１１と被支持部１５とが金属棒で形成されており、さらに被支持部１５については、その下方に金属製角柱１８が溶接などで固定され、この１８に前凹部１６と後凹部１７とが形成されたものである。他の点については、先の例と実質的に同じであり、同一の符号を付して、その説明を省略する。
以上本願考案は、実用新案登録請求の範囲に記載された考案の範囲内で、適宜変更して実施することができる。
【図面の簡単な説明】
【００１９】
【図１】第１の実施の形態に係るテーブル用フックの分解斜視図である。
【図２】同テーブル用フックの使用状態を示す斜視図である。
【図３】同作動状態の説明図である。
【図４】第２の実施の形態に係るテーブル用フックの分解斜視図である。
【符号の説明】
【００２０】
１１  フック部材
１２  先端部
１３  首部
１４  腕部
１５  被支持部
１６  凹部（前）
１７  凹部（後）
１９  突起部
２０  支持部材
２１  当接部
２２  左右壁部
２３  下方支持部
２４  開口
３０  板バネ
３１  前ストップ部
３２  後ストップ部
３３  凸部
【図１】
0003137212.tif 000003
【図２】
0003137212.tif 000004
【図３】
0003137212.tif 000005
【図４】
0003137212.tif 000006